(57)【要約】【課題】簡素な装置構成で、互いに離間した複数の照射領域に同時に光をスポット照射することができる光学素子、及び照明器具を提供する。【解決手段】光学素子３０は、第１外面部３１と、第２外面部３２と、光透過部３３とを備える。第１外面部３１は、光が透過可能な第１平面３６を有する。第２外面部３２は、光が透過可能な分光部Ｑを有する、光透過部３３は、第１外面部３１と第２外面部３２との間に介在する。分光部Ｑは、第１平面３６に対向する第２平面３７及び第３平面３８を有する。第１平面３６に対する第２平面３７の傾斜角度と、第１平面３６に対する第３平面３８の傾斜角度とが異なる。【選択図】図４
2018190503.tif 000002
【特許請求の範囲】
【請求項１】
光が透過可能な第１平面を有する第１外面部と、
光が透過可能な分光部を有する第２外面部と、
前記第１外面部と前記第２外面部との間に介在する光透過部と
を備え、
前記分光部は、前記第１平面に対向する第２平面及び第３平面を有し、
前記第１平面に対する前記第２平面の傾斜角度と、前記第１平面に対する前記第３平面の傾斜角度とが異なる、光学素子。
【請求項２】
前記第２平面の頂端部と前記第３平面の頂端部とが互いに連結され、
第１方向に対する前記第２平面の傾斜角度は鋭角であり、
前記第１方向は、前記第１平面に沿って前記第２平面から前記第３平面に向かう方向を示し、
第２方向に対する前記第３平面の傾斜角度は鋭角であり、
前記第２方向は、前記第１方向と反対方向を示す、請求項１に記載の光学素子。
【請求項３】
前記分光部は、複数の前記第２平面と、複数の前記第３平面とを有し、
前記複数の第２平面と前記複数の第３平面とが、交互に１つずつ配置される、請求項１又は請求項２に記載の光学素子。
【請求項４】
前記分光部は、
前記第２平面の頂端部と前記第３平面の頂端部との連結部である頂部と、
前記第２平面の底端部と前記第３平面の底端部との連結部である底部と
を有し、
前記複数の第２平面と、前記複数の第３平面とのうち、隣り合う前記第２平面の頂端部と前記第３平面の頂端部とが連結されて複数の前記頂部が形成され、
前記複数の第２平面と、前記複数の第３平面とのうち、隣り合う前記第２平面の底端部と前記第３平面の底端部とが連結されて複数の前記底部が形成され、
前記複数の頂部と、前記複数の底部とは、互いに平行であり、交互に１つずつ配置される、請求項３に記載の光学素子。
【請求項５】
前記第２外面部は、複数の前記分光部を有し、
前記複数の分光部のうちの１つは第１分光部であり、
前記複数の分光部のうちの他の１つは第２分光部であり、
前記第１分光部が有する頂部の延びる方向と、前記第２分光部が有する頂部の延びる方向とが異なる、請求項４に記載の光学素子。
【請求項６】
前記第２外面部は、前記第１平面に平行な第４平面を有する、請求項４又は請求項５に記載の光学素子。
【請求項７】
前記第１外面部は、光を拡散させる拡散部を有する、請求項６に記載の光学素子。
【請求項８】
請求項１から請求項７のいずれか１項に記載の光学素子と、
光を出射する光源と
を備える照明器具。
【請求項９】
前記光源から前記光学素子に向かって延びる光軸回りに、前記光学素子を回動自在に支持する支持機構を備える、請求項８に記載の照明器具。
【発明の詳細な説明】
【技術分野】
【０００１】
本発明は、光学素子、及び照明器具に関する。
【背景技術】
【０００２】
特許文献１に記載のＬＥＤ照明器具は、ＬＥＤを有し可視光を発光するＬＥＤ光源部と、ＬＥＤ光源部の前方に配置されＬＥＤ光源部からの可視光を屈折させるレンズとを備えている。レンズは、ＬＥＤ光源部と対向しＬＥＤ光源部からの可視光が入射する光入射面側のスプレッドレンズ部位と、光入射面側と反対の光出射面側にありＬＥＤ光源部からの可視光を集光する集光レンズ部位とを備えている。スプレッドレンズ部位は、複数の突条部を平行に備え、光出射面に対し突条部の長手方向と垂直な方向に沿って可視光を広げる。突条部は、突条部の長手方向に沿って、可視光を拡散する複数の窪み部を有する。レンズから出射した光は、広がりながら進行する。
【先行技術文献】
【特許文献】
【０００３】
【特許文献１】特開２０１４−１１０１２０号公報
【発明の概要】
【発明が解決しようとする課題】
【０００４】
一般に、互いに離間した複数の照射領域に同時に光をスポット照射する場合、複数の照明器具を用いる。複数の照明器具は、それぞれ複数の照射領域に光をスポット照射する。しかし、複数の照明器具が必要になり、装置構成が煩雑になる。
【０００５】
本発明は、上記課題に鑑みてなされたものであり、簡素な装置構成で、互いに離間した複数の照射領域に同時に光をスポット照射することができる光学素子、及び照明器具を提供することを目的としている。
【課題を解決するための手段】
【０００６】
本願に開示する光学素子は、第１外面部と、第２外面部と、光透過部とを備える。第１外面部は、光が透過可能な第１平面を有する。第２外面部は、光が透過可能な分光部を有する、光透過部は、前記第１外面部と前記第２外面部との間に介在する。前記分光部は、前記第１平面に対向する第２平面及び第３平面を有する。前記第１平面に対する前記第２平面の傾斜角度と、前記第１平面に対する前記第３平面の傾斜角度とが異なる。
【０００７】
本願に開示する光学素子において、前記第２平面の頂端部と前記第３平面の頂端部とが互いに連結されることが好ましい。第１方向に対する前記第２平面の傾斜角度は鋭角であることが好ましい。前記第１方向は、前記第１平面に沿って前記第２平面から前記第３平面に向かう方向を示すことが好ましい。第２方向に対する前記第３平面の傾斜角度は鋭角であることが好ましい。前記第２方向は、前記第１方向と反対方向を示すことが好ましい。
【０００８】
本願に開示する光学素子において、前記分光部は、複数の前記第２平面と、複数の前記第３平面とを有することが好ましい。前記複数の第２平面と前記複数の第３平面とが、交互に１つずつ配置されることが好ましい。
【０００９】
本願に開示する光学素子において、前記分光部は、頂部と、底部とを有することが好ましい。頂部は、前記第２平面の頂端部と前記第３平面の頂端部との連結部であることが好ましい。底部は、前記第２平面の底端部と前記第３平面の底端部との連結部であることが好ましい。前記複数の第２平面と、前記複数の第３平面とのうち、隣り合う前記第２平面の頂端部と前記第３平面の頂端部とが連結されて複数の前記頂部が形成されることが好ましい。前記複数の第２平面と、前記複数の第３平面とのうち、隣り合う前記第２平面の底端部と前記第３平面の底端部とが連結されて複数の前記底部が形成されることが好ましい。前記複数の頂部と、前記複数の底部とは、互いに平行であり、交互に１つずつ配置されることが好ましい。
【００１０】
本願に開示する光学素子において、前記第２外面部は、複数の前記分光部を有することが好ましい。前記複数の分光部のうちの１つは第１分光部であることが好ましい。前記複数の分光部のうちの他の１つは第２分光部であることが好ましい。前記第１分光部が有する頂部の延びる方向と、前記第２分光部が有する頂部の延びる方向とが異なることが好ましい。
【００１１】
本願に開示する光学素子において、前記第２外面部は、前記第１平面に平行な第４平面を有することが好ましい。
【００１２】
本願に開示する光学素子において、前記第１外面部は、光を拡散させる拡散部を有することが好ましい。
【００１３】
本願に開示する照明器具は、上記光学素子と、光を出射する光源とを備える。
【００１４】
本願に開示する照明器具は、支持機構を備えることが好ましい。支持機構は、前記光源から前記光学素子に向かって延びる光軸回りに、前記光学素子を回動自在に支持することが好ましい。
【発明の効果】
【００１５】
本発明によれば、簡素な装置構成で、互いに離間した複数の照射領域に同時に光をスポット照射することができる。
【図面の簡単な説明】
【００１６】
【図１】照明器具が取り付けられた室内を示す模式的側面図。
【図２】照明器具の斜視図。
【図３】照明器具の模式的断面図。
【図４】（ａ）光学素子の側面図、（ｂ）光学素子の平面図。
【図５】図４（ａ）に示す光学素子の一部拡大図。
【図６】光学素子を透過する光の進行方向を示す側面図。
【図７】図６の一部拡大図。
【図８】（ａ）光の照射領域を示す側面図、（ｂ）光の照射領域を示す平面図。
【図９】光学素子を透過する光の進行方向を示す側面図。
【図１０】支持機構を示す斜視図。
【図１１】（ａ）光の照射領域を示す平面図、（ｂ）光の照射領域を示す平面図。
【図１２】（ａ）第２実施形態の光学素子を示す平面図、（ｂ）光の照射領域を示す平面図。
【図１３】（ａ）変形例の光学素子を示す平面図、（ｂ）変形例の光学素子を示す平面図。
【図１４】（ａ）第３実施形態の光学素子を示す平面図、（ｂ）光の照射領域を示す側面図。
【発明を実施するための形態】
【００１７】
本発明の実施形態について、図面を参照しながら説明する。なお、図中、同一又は相当部分については同一の参照符号を付して説明を繰り返さない。
【００１８】
以下、本発明の実施形態について、図面を参照しながら説明する。なお、図中、同一又は相当部分については同一の参照符号を付して説明を繰り返さない。
【００１９】
図１〜図３を参照して、本発明の実施形態に係る照明器具１について説明する。図１は、照明器具１が取り付けられた室内Ｒを示す模式的側面図である。
【００２０】
図１に示すように、照明器具１は、例えば、室内Ｒに取り付けられる。照明器具１は、例えば、室内Ｒの天井Ｃに取り付けられるスポットライトである。照明器具１は、室内Ｒの照射領域に光をスポット照射する。スポット照射とは、特定の領域に集中して光を照射することである。本実施形態では、特定の領域は、照射領域である。本実施形態の照明器具１は、互いに離間した複数の照射領域に同時に光をスポット照射する。
【００２１】
室内Ｒには、第１棚Ｓ１と第２棚Ｓ２とが、互いに間隔を空けて配置される。照明器具１は、例えば、第１照射領域α１に第１光Ｌ１をスポット照射し、第２照射領域α２に第２光Ｌ２をスポット照射する。第１照射領域α１は、第１棚Ｓ１が位置する領域を示す。第２照射領域α２は、第２棚Ｓ２が位置する領域を示す。
【００２２】
図２は、照明器具１の斜視図である。図３は、照明器具１の模式的断面図である。
【００２３】
図２及び図３に示すように、照明器具１は、光源１０と、ヒートシンク２０と、光学素子３０と、反射部材４０と、枠体５０と、案内部６０と、第１フランジ部７１と、支持体７２と、取付バネ７３と、第２フランジ部７４とを備える。なお、図３では、図面の簡略化のため、ヒートシンク２０を省略している。
【００２４】
光源１０は光を出射する。具体的には、光源１０は、発光部１１と、基板１２とを含む。発光部１１は、基板１２に形成される。発光部１１は、本実施形態では、単数又は複数のＬＥＤ（Ｌｉｇｈｔ  Ｅｍｉｔｔｉｎｇ  Ｄｉｏｄｅ）素子を含む。発光部１１は、光を発光する。なお、発光部１１は、ＬＥＤ素子に限定されない。発光部１１は、光を発光する素子を有していればよい。発光部１１は、例えば、半導体レーザーのような半導体発光素子、有機ＥＬ（Ｅｌｅｃｔｒｏ  Ｌｕｍｉｎｅｓｃｅｎｃｅ）、又は無機ＥＬのような固体発光素子を有してもよい。
【００２５】
発光部１１は、ＣＯＢ（Ｃｈｉｐ  ｏｎ  Ｂｏａｒｄ）タイプである。ＣＯＢタイプは、複数のＬＥＤを蛍光体で封止することにより発光部１１を基板１２に形成するタイプである。なお、発光部１１は、ＳＭＤ（Ｓｕｒｆａｃｅ  Ｍｏｕｎｔ  Ｄｅｖｉｃｅ）タイプであってもよい。ＳＭＤタイプは、ＬＥＤと蛍光体とを１ユニット化してＬＥＤチップを形成し、複数のＬＥＤチップを基板１２の実装面に載置して基板１２の導電パターンに電気的に接続することにより発光部１１を形成するタイプである。
【００２６】
ヒートシンク２０は、底部２１を有する。ヒートシンク２０の底部２１の略中央部には、基板１２が取り付けられる。ヒートシンク２０は、基板１２上の発光部１１が発した熱を放散する。熱の放散とは、放熱のことである。
【００２７】
光学素子３０は、光を透過する。光学素子３０は、例えば、略板状である。光学素子３０は、第１外面部３１と、第２外面部３２と、光透過部３３とを備える。
【００２８】
第１外面部３１は、照明器具１の外側に向くように配置可能である。従って、第１外面部３１は、照明器具１の外側に向くように配置される。
【００２９】
第２外面部３２は、光源１０に対向可能である。従って、第２外面部３２は、光源１０に対向する。
【００３０】
光学素子３０の第２外面部３２は、光学素子３０の第１外面部３１よりも光源１０に近い。光透過部３３は、第１外面部３１と第２外面部３２との間に介在する。光透過部３３は、光を透過する。
【００３１】
第１外面部３１と第２外面部３２と光透過部３３とは一体形成される。なお、第１外面部３１と第２外面部３２と光透過部３３とを一体形成することは、光学素子３０の一例である。
【００３２】
第１外面部３１と第２外面部３２と光透過部３３とは、光源１０の光軸ＬＡ上に配置され、光軸ＬＡに沿って並ぶ。光軸ＬＡは、光源１０から光学素子３０に向かって延びる。詳細には、光軸ＬＡは、光源１０の中心から光学素子３０の中心に向かって延びる。光源１０の中心は、例えば、発光部１１の中央部を示す。光学素子３０の中心は、例えば、光学素子３０のうち光が通過する領域の中央部を示す。本実施形態において、光軸ＬＡは鉛直方向に沿っている。
【００３３】
光軸ＬＡに沿う方向を、光軸方向Ｘと記載する。光軸方向Ｘに沿いつつ、光学素子３０から光源１０に向かう方向を、第１光軸方向Ｘ１と記載する。第１光軸方向Ｘ１と反対方向を、第２光軸方向Ｘ２と記載する。
【００３４】
反射部材４０は、光源１０の出射した光を、光学素子３０に向けて反射する。反射部材４０は、光源１０と光学素子３０との間に介在する。
【００３５】
反射部材４０は、例えば、中空の略円錐台形状を有する。反射部材４０は、第１開口４１と、第２開口４２とを有する。第１開口４１は、反射部材４０のうち第１光軸方向Ｘ１の端部に位置する。第２開口４２は、反射部材４０のうち第２光軸方向Ｘ２の端部に位置する。第１開口４１及び第２開口４２の各々は、例えば、略円形状である。
【００３６】
第１開口４１は、ヒートシンク２０の底部２１に対向し、ヒートシンク２０の底部２１で閉塞される。第１開口４１の内側には、光源１０が配置される。第２開口４２は、光学素子３０に対向し、光学素子３０で閉塞される。従って、反射部材４０は、光源１０と光学素子３０との間の空間を閉塞する。反射部材４０は、光源１０の出射する光を光学素子３０に向けて反射する。その結果、光のロスを低減することが可能となる。光のロスは、光源１０の出射する光が、光学素子３０へ到達しないことを示す。
【００３７】
枠体５０は、ヒートシンク２０の底部２１に取り付けられる。枠体５０は、光源１０の出射した光が、光学素子３０を透過することなく、照明器具１の外側に漏れることを抑制する。照明器具１の外側は、例えば、天井Ｃ裏を示す。
【００３８】
枠体５０は、例えば、略筒形状を有する。枠体５０は、第３開口と、第４開口５２と、爪部５１とを有する。第３開口は、枠体５０のうち第１光軸方向Ｘ１の端部に位置する。第４開口５２は、枠体５０のうち第２光軸方向Ｘ２の端部に位置する。第３開口には、爪部５１が形成される。爪部５１は、ヒートシンク２０の底部２１に係合する。その結果、枠体５０がヒートシンク２０に固定される。枠体５０の第４開口５２の内側には、光学素子３０が配置される。枠体５０の内側には、反射部材４０が配置される。従って、枠体５０は、反射部材４０を囲む。その結果、光学素子３０を透過することなく反射部材４０から漏れた光が、照明器具１の外側に出射することを抑制できる。
【００３９】
案内部６０は、枠体５０に連なり、枠体５０から第２光軸方向Ｘ２に向かって突出する。案内部６０は、張り出し部６１と、第５開口６２と、第６開口６３と、連結部６４と、段差部６５とを有する。張り出し部６１と、第５開口６２と、第６開口６３と、連結部６４と、段差部６５とは、第２光軸方向Ｘ２に向かって、張り出し部６１、段差部６５、第５開口６２、連結部６４、及び第６開口６３の順に配置される。
【００４０】
張り出し部６１は、例えば、略円筒形状を有する。張り出し部６１の内側には、枠体５０の先端部が配置される。枠体５０の先端部は、枠体５０のうち第２光軸方向Ｘ２の先端側に位置する部分である。第５開口６２は、光学素子３０と対向する。従って、光学素子３０から出射した光は、第５開口６２を通じて、案内部６０の内部に進入する。
【００４１】
張り出し部６１と第５開口６２との間には、段差部６５が形成される。段差部６５は、案内部６０の内部空間の面積を光軸ＬＡに対して垂直な方向に絞った形状を有する。段差部６５には、枠体５０の第４開口５２が対向する。従って、段差部６５で第４開口５２を押さえて、枠体５０と案内部６０との連結部の密閉性を向上させることができる。その結果、枠体５０と案内部６０との連結部から光が漏れることを抑制できる。また、照明器具１を組み立てる際、枠体５０の第４開口５２に対し、段差部６５を突き合わせることで、枠体５０に対する案内部６０の位置決めを容易に行える。その結果、照明器具１の組み立てを円滑に行うことができる。
【００４２】
第６開口６３は、案内部６０の内部と案内部６０の外部とを連通する。連結部６４は、光軸方向Ｘの両端が開口する筒形状を有する。連結部６４の開口のうち第１光軸方向Ｘ１の端部に位置する開口が、第５開口６２である。連結部６４の開口のうち第２光軸方向Ｘ２の端部に位置する開口が、第６開口６３である。
【００４３】
反射部材４０の内部空間と案内部６０の内部空間とは、光源１０の出射した光の通路Ｔを形成する。
第６開口６３の内径Ｄ２は、第１開口４１の内径Ｄ１よりも大きい。（Ｄ１＜Ｄ２）。従って、第１開口４１から第６開口６３に向かう程、光の通路Ｔの面積が大きくなる。光の通路Ｔの面積は、光軸ＬＡに対して垂直な光の通路Ｔの断面の面積を示す。その結果、光源１０から出射した光が広がりながら進行する。内径Ｄ１に対する内径Ｄ２の大きさを変更することで、光の広がりの程度を調整することができる。
【００４４】
発光部１１が出射した光は、反射部材４０の内部を進行する。反射部材４０の内部を進行する光の一部は、反射部材４０で反射されて、第４開口５２から出射する。また、反射部材４０の内部を進行する光の他の一部は、第４開口５２から直接出射する。
【００４５】
第４開口５２から出射した光は、光学素子３０の第２外面部３２に入射する。第２外面部３２に入射した光は、光透過部３３に入射する。光透過部３３に入射した光は、光透過部３３を透過する。光透過部３３を透過した光は、第１外面部３１に入射する。第１外面部３１に入射した光は、第１外面部３１から出射する。
【００４６】
第１外面部３１から出射した光は、第５開口６２に入射する。第５開口６２に入射した光は、連結部６４の内部を進行し、第６開口６３から出射する。
【００４７】
第１フランジ部７１は、張り出し部６１と枠体５０との間に介在する。第１フランジ部７１は、ヒートシンク２０の底部２１に取り付けられる。
【００４８】
支持体７２は、第１フランジ部７１に取り付けられる。支持体７２は、第１フランジ部７１から第６開口６３に亘って設置される。支持体７２には、取付バネ７３と第２フランジ部７４とが取り付けられる。取付バネ７３は、第２光軸方向Ｘ２に向かって付勢される。第２フランジ部７４は、第６開口６３の外周部に配置される。取付バネ７３と第２フランジ部７４とが、天井Ｃを挟持し、照明器具１を天井Ｃに取り付ける。
【００４９】
［第１実施形態］
次に、図４（ａ）〜図５を参照して、光学素子３０について説明する。図４（ａ）は光学素子３０の側面図である。具体的には、図４（ａ）は、光軸方向Ｘに対して垂直な方向から光学素子３０を見た図である。図４（ｂ）は、光学素子３０の平面図である。具体的には、図４（ｂ）は、光学素子３０を第２光軸方向Ｘ２に見た図である。図５は、図４（ａ）に示す光学素子３０の一部拡大図である。
【００５０】
図４（ａ）〜図５に示すように、光学素子３０は、第３フランジ部３４と、操作部３５とをさらに備える。第３フランジ部３４は、光学素子３０のうち縁部に位置する部分を示す。第３フランジ部３４は、例えば、略円環形状を有する。従って、第３フランジ部３４の内側に、第１外面部３１と第２外面部３２とが位置する。操作部３５は、第１外面部３１に固定された突起である。操作部３５は、第２光軸方向Ｘ２に突出する。操作部３５は、第１外面部３１の縁部に位置する。操作部３５は、複数設けられる。第１実施形態では、操作部３５は、２つ設けられる。２つの操作部３５は、光軸ＬＡ回りに１８０度の間隔を空けて配置される。なお、操作部３５は、１つでもよい。
【００５１】
第１外面部３１は、第１平面３６を有する。第１平面３６は、光が透過可能である。第１平面３６は、光軸ＬＡに対して垂直な平面である。第１平面３６には光軸ＬＡが交わる。
【００５２】
第２外面部３２は、分光部Ｑを有する。分光部Ｑは、第２平面３７と、第３平面３８と、頂部８１と、底部８２と、突部８３とを有する。第２平面３７と第３平面３８とは光が透過可能である。第２平面３７及び第３平面３８は、光透過部３３を介して第１平面３６に対向する。つまり、第２平面３７及び第３平面３８と、第１平面３６との間には、光透過部３３が介在する。また、第２平面３７及び第３平面３８は、第１平面３６に対し、光軸方向Ｘに間隔を空けて配置される。
【００５３】
第２平面３７と第３平面３８とは、第１平面３６に対して互いに異なる方向に傾斜する。
従って、第２平面３７と第３平面３８とは、光学素子３０に入射する光を、異なる方向に屈折させることができる。その結果、１つの照明器具１を使用して、互いに離間した複数の照射領域に同時に光をスポット照射することができる。
加えて、複数の照明器具を使用して光をスポット照射する場合に比べ、装置構成を簡素化することができる。従って、光学素子３０を使用することで、簡素な装置構成で、互いに離間した複数の照射領域に同時に光をスポット照射することができる。また、複数の照明器具を設ける必要がなく、装置の製造コストを低減することができる。
【００５４】
第２平面３７の頂端部３７ａは、第２平面３７のうち第１平面３６から遠い側の端部を示す。第２平面３７の底端部３７ｂは、第２平面３７のうち第１平面３６に近い側の端部を示す。
【００５５】
第３平面３８の頂端部３８ａは、第３平面３８のうち第１平面３６から遠い側の端部を示す。第３平面３８の底端部３８ｂは、第３平面３８のうち第１平面３６に近い側の端部を示す。
【００５６】
第２平面３７の頂端部３７ａと、第３平面３８の頂端部３８ａとが互いに連結される。第２平面３７の底端部３７ｂと、第３平面３８の底端部３８ｂとが互いに連結される。
【００５７】
頂部８１は、頂端部３７ａと頂端部３８ａとの連結部である。底部８２は、底端部３７ｂと底端部３８ｂとの連結部である。図４（ｂ）において、頂部８１は、一点鎖線で表される。底部８２は、実線で表される。
【００５８】
第１方向Ｍ１に対する第２平面３７の第１傾斜角度θａは鋭角である。第１方向Ｍ１は、第１平面３６に沿って第２平面３７から第３平面３８に向かう方向を示す。第１平面３６に沿うとは、第１方向Ｍ１が第１平面３６に平行であることを示す。
【００５９】
第２方向Ｍ２に対する第３平面３８の第２傾斜角度θｂは鋭角である。第２方向Ｍ２は、第１方向Ｍ１と反対方向を示す。
【００６０】
なお、第１実施形態では、第１傾斜角度θａは、第２傾斜角度θｂと等しい。従って、第１実施形態では、光学素子３０を長手方向Ｙに見ると、頂部８１と、第２平面３７の底端部３７ｂと、第３平面３８の底端部３８ｂとを頂点とする三角形Ｖが、二等辺三角形になる。
【００６１】
突部８３は、略三角柱形状を有する。突部８３は、頂部８１と、第２平面３７の底端部３７ｂと、第３平面３８の底端部３８ｂとを結んで形成される。従って、突部８３は、三角形Ｖが長手方向Ｙに延びた形状を有する。
【００６２】
以上、図４（ａ）〜図５を参照して説明したように、第１傾斜角度θａは鋭角であり、第２傾斜角度θｂは鋭角である。従って、第２平面３７と第３平面３８とが互いに異なる向きに傾斜する。その結果、第２平面３７と第３平面３８とは、光学素子３０に入射する光を、互いに異なる方向に効果的に屈折させることができる。例えば、壁に挟まれた空間の天井に照明器具１を設置することで、照明器具１の両側に位置する壁の各々に同時に光をスポット照射することができる。
【００６３】
続いて、図４（ａ）及び図４（ｂ）を参照して、頂部８１と底部８２との配列について説明する。
【００６４】
図４（ａ）及び図４（ｂ）に示すように、分光部Ｑは、複数の第２平面３７と、複数の第３平面３８と、複数の頂部８１と、複数の底部８２と、複数の突部８３とを有する。
【００６５】
分光部Ｑは、複数の第２平面３７と、複数の第３平面３８とを交互に１つずつ配置する。具体的には、分光部Ｑは、複数の第２平面３７と、複数の第３平面３８とを、幅方向Ｚに沿って交互に１つずつ配置する。幅方向Ｚは、長手方向Ｙに対して垂直な方向である。また、幅方向Ｚは、光軸ＬＡに対して垂直な方向である。
【００６６】
複数の第２平面３７と複数の第３平面３８とのうち、幅方向Ｚに隣り合う第２平面３７の頂端部３７ａと第３平面３８の頂端部３８ａとが互いに連結される。その結果、複数の頂部８１が形成される。
【００６７】
複数の第２平面３７と複数の第３平面３８とのうち、幅方向Ｚに隣り合う第２平面３７の底端部３７ｂと第３平面３８の底端部３８ｂとが互いに連結される。その結果、複数の底部８２が形成される。
【００６８】
複数の頂部８１と、複数の底部８２とは、互いに平行であり、交互に１つずつ配置される。複数の頂部８１と、複数の底部８２とは、幅方向Ｚに沿って並ぶ。また、複数の突部８３は、幅方向Ｚに沿って並ぶ。
【００６９】
以上、図４（ａ）及び図４（ｂ）を参照して説明したように、複数の頂部８１と複数の底部８２とが交互に１つずつ配置される。従って、第２平面３７と第３平面３８との傾斜角度を変えずに頂部８１の個数と底部８２の個数とを増やす程、各突部８３の高さが低くなり光学素子３０の光軸方向Ｘの寸法を小さくすることができる。その結果、光学素子３０の厚みの増加を抑制することができる。また、複数の第２平面３７と、複数の第３平面３８とを第２外面部３２に効率的に配置することができる。
【００７０】
次に、図６〜図８（ｂ）を参照して、光学素子３０が複数の照射領域に光をスポット照射する第１原理について説明する。
図６は、光学素子３０を透過する光の進行方向を示す側面図である。
図７は図６の一部拡大図である。図７において、領域β１は、光源１０と光学素子３０との間の領域を示す。領域β２は、光学素子３０の内部の領域を示す。領域β３は、光学素子３０から出射した光が進行する領域を示す。
【００７１】
図８（ａ）は、光の照射領域を示す側面図である。図８（ｂ）は、光の照射領域を示す平面図である。具体的には、図８（ｂ）は、光の照射領域を第２光軸方向Ｘ２に見た図である。図８（ａ）、及び図８（ｂ）において、第１棚Ｓ１が位置する第１照射領域α１と、第２棚Ｓ２が位置する第２照射領域α２とに同時に光をスポット照射する。
【００７２】
図６及び図７に示すように、光源１０は、第１照射領域α１と第２照射領域α２とに同時に光をスポット照射する。第１照射領域α１は、光源１０よりも下方に位置し、光源１０よりも幅方向Ｚの一側に位置する。第１照射領域α１には、第１棚Ｓ１が位置する。第２照射領域α２は、光源１０よりも下方に位置し、光源１０よりも幅方向Ｚの他側に位置する。第２照射領域α２には、第２棚Ｓ２が位置する。
【００７３】
光源１０の出射する光は、第１光Ｌ１と、第２光Ｌ２とを含む。第１光Ｌ１は、光源１０が出射する光のうち、第１照射領域α１側に向かう光を示す。第２光Ｌ２は、光源１０が出射する光のうち、第２照射領域α２側に向かう光を示す。
【００７４】
第１原理では、光源１０の出射した光は、光軸方向Ｘに対して傾斜しつつ光学素子３０に入射する。この場合、第１光Ｌ１は、光軸方向Ｘに対して幅方向Ｚの一側に傾斜しつつ第２平面３７に入射する光を示す。この場合、第２光Ｌ２は、光軸方向Ｘに対して幅方向Ｚの他側に傾斜しつつ第３平面３８に入射する光を示す。
【００７５】
第１光Ｌ１の進行方向の変化について説明する。
第１光Ｌ１は、第１光部Ｌ１１と、第２光部Ｌ１２と、第３光部Ｌ１３とを有する。
【００７６】
光軸方向Ｘに対する第１光部Ｌ１１の進行方向の傾斜角度を、第１光軸角度と記載する。光軸方向Ｘに対する第２光部Ｌ１２の進行方向の傾斜角度を、第２光軸角度と記載する。光軸方向Ｘに対する第３光部Ｌ１３の進行方向の傾斜角度を、第３光軸角度と記載する。
【００７７】
領域β１において、第１光部Ｌ１１が、第１光軸角度θ１で進行する。第２光部Ｌ１２が、第２光軸角度θ２で進行する。第３光部Ｌ１３が、第３光軸角度θ３で進行する。第１光軸角度θ１は、第２光軸角度θ２よりも大きい。第３光軸角度θ３は、第１光軸角度θ１よりも大きい（θ２＜θ１＜θ３）。
【００７８】
まず、領域β２での、第１光部Ｌ１１と第２光部Ｌ１２と第３光部Ｌ１３との進行方向の変化について、（１−１）、（２−１）及び（３−１）の順に説明する。なお、空気に対する光学素子３０の屈折率は、屈折率ｎである。屈折率ｎは、１よりも大きい。
【００７９】
（１−１）第１光部Ｌ１１は、入射角０度で光学素子３０の第２平面３７に入射し、屈折しない。従って、領域β１での第１光軸角度と、領域β２での第１光軸角度とを比較すると、第１光軸角度は変化せず、角度θ１のままである。従って、第１光部Ｌ１１が光学素子３０に入射しても、第１光部Ｌ１１の進行方向が変化しない。
【００８０】
（２−１）第２光部Ｌ１２は、入射角θ２１で光学素子３０の第２平面３７に入射し、屈折角θ２２で光学素子３０に進入する。入射角θ２１よりも、屈折角θ２２の方が小さい（θ２２＜θ２１）。理由は、屈折率ｎが１よりも大きいからである。従って、領域β１での第２光軸角度と、領域β２での第２光軸角度とを比較すると、第２光軸角度は、角度θ２から角度θ２３に変化する。角度θ２３は、角度θ２よりも大きい（θ２３＞θ２）。従って、第２光部Ｌ１２が光学素子３０に入射すると、第２光部Ｌ１２の第２光軸角度が大きくなる。その結果、第２光部Ｌ１２の進行方向が、第１光部Ｌ１１の進行方向に近づく。
【００８１】
（３−１）第３光部Ｌ１３は、入射角θ３１で光学素子３０の第２平面３７に入射し、屈折角θ３２で光学素子３０に進入する。入射角θ３１よりも、屈折角θ３２の方が小さい（θ３２＜θ３１）。理由は、屈折率ｎが１よりも大きいからである。従って、領域β１での第３光軸角度と、領域β２での第３光軸角度とを比較すると、第３光軸角度は、角度θ３から角度θ３３に変化する。角度θ３３は、角度θ３よりも小さい（θ３３＜θ３）。従って、第３光部Ｌ１３が光学素子３０に入射すると、第３光部Ｌ１３の第３光軸角度が小さくなる。その結果、第３光部Ｌ１３の進行方向が、第１光部Ｌ１１の進行方向に近づく。
【００８２】
従って、（１−１）〜（３−１）に示すように、第１光Ｌ１は、光学素子３０の第２平面３７に入射する。従って、領域β２において、第１光Ｌ１に含まれる複数の光部の進行方向が、第１光部Ｌ１１の進行方向に近づく。その結果、第１光Ｌ１が広がることを抑えることができる。つまり、第２平面３７は、第１光Ｌ１の広がりを抑え、第１光Ｌ１の進行方向を第２光部Ｌ１２の進行方向に近づける。その結果、領域β２において、第１光Ｌ１の進行方向が、第２光部Ｌ１２の進行方向に沿うように整えられる。
【００８３】
次に、領域β３での、第１光部Ｌ１１と第２光部Ｌ１２と第３光部Ｌ１３との進行方向の変化について、（１−２）、（２−２）及び（３−２）の順に説明する。なお、光学素子３０に対する空気の屈折率は、屈折率（１／ｎ）である。屈折率（１／ｎ）は、０よりも大きく、１よりも小さい。
【００８４】
（１−２）第１光部Ｌ１１は、入射角θ１で光学素子３０の第１平面３６に入射し、屈折角θ１４で光学素子３０から出射する。入射角θ１よりも、屈折角θ１４の方が大きい（θ１４＞θ１３）。理由は、屈折率（１／ｎ）が１よりも小さいからである。従って、領域β２での第１光軸角度と、領域β３での第１光軸角度とを比較すると、第１光軸角度は、角度θ１から角度θ１４に変化する。角度θ１４は、角度θ１よりも大きい（θ１４＞θ１）。従って、第１光部Ｌ１１が光学素子３０から出射すると、第１光部Ｌ１１の第１光軸角度が増加する。その結果、第１光部Ｌ１１の進行方向が、幅方向Ｚの一側にさらに傾く。
【００８５】
（２−２）第２光部Ｌ１２は、入射角θ２３で光学素子３０の第１平面３６に入射し、屈折角θ２４で光学素子３０から出射する。入射角θ２３よりも、屈折角θ２４の方が大きい（θ２３＜θ２４）。理由は、屈折率（１／ｎ）が１よりも小さいからである。従って、第２光部Ｌ１２が光学素子３０から出射すると、第２光部Ｌ１２の第２光軸角度が、角度θ２３から角度θ２４に増加する。その結果、第２光部Ｌ１２の進行方向が、幅方向Ｚの一側にさらに傾く。
【００８６】
（３−２）第３光部Ｌ１３は、入射角θ３３で光学素子３０の第１平面３６に入射し、屈折角θ３４で光学素子３０から出射する。入射角θ３３よりも、屈折角θ３４の方が大きい（θ３３＜θ３４）。理由は、屈折率（１／ｎ）が１よりも小さいからである。従って、第３光部Ｌ１３が光学素子３０から出射すると、第３光部Ｌ１３の第３光軸角度が、角度θ３３から角度θ３４に増加する。その結果、第３光部Ｌ１３の進行方向が、幅方向Ｚの一側にさらに傾く。
【００８７】
従って、（１−２）〜（３−２）に示すように、第１光Ｌ１が光学素子３０の第１平面３６から出射するとき、第１光Ｌ１の進行方向が幅方向Ｚの一側にさらに傾く。
【００８８】
以上、図６及び図７を参照して説明したように、第２平面３７が、第１光Ｌ１の進行方向を整える。具体的には、第２平面３７は、第１光Ｌ１の広がりが抑え、第１光Ｌ１の進行方向を、第２光部Ｌ１２の進行方向に沿うように整える。そして、第１平面３６が、第１光Ｌ１の進行方向を、幅方向Ｚの一側にさらに傾ける。その結果、図８（ａ）及び図８（ｂ）に示すように、第１照射領域α１に対し、第１光Ｌ１を効果的にスポット照射することが可能となる。
【００８９】
なお、第１光Ｌ１のうち第３平面３８に入射する光部Ｌａについては考慮しない。なぜなら、第１光Ｌ１の進行方向に対し第２平面３７が対向するように配置される。従って、第１光Ｌ１の大部分が第２平面３７に入射するからである。
【００９０】
また、第１光Ｌ１について記載した第１原理（（１−１）〜（３−２））と同様の原理で、光学素子３０は、第２光Ｌ２の進行方向を変更する。具体的には、光学素子３０の第３平面３８が、第２光Ｌ２の広がりを抑え、第２光Ｌ２の進行方向を第４光部の進行方向に沿うように整える。第４光部は、第２光Ｌ２のうち、入射角０度で第３平面３８に入射する光を示す。そして、第１平面３６が、第２光Ｌ２の進行方向を、幅方向Ｚの他側にさらに傾ける。その結果、第２照射領域α２に対し、第２光Ｌ２を効果的にスポット照射することが可能となる。
【００９１】
以上、図６〜図８（ｂ）を参照して説明したように、光学素子３０は、光軸ＬＡよりも幅方向Ｚの一側へ第１光Ｌ１をスポット照射し、光軸ＬＡよりも幅方向Ｚの他側へ第２光Ｌ２をスポット照射する。その結果、光学素子３０は、光の指向性を複数の方向に高めることができ、互いに離間した複数の照射領域に同時に光をスポット照射することが可能となる。なお、第１実施形態の光学素子３０は、２つの照射領域に同時に光をスポット照射する。
【００９２】
次に、図９を参照して、光学素子３０が複数の照射領域に光をスポット照射する第２原理について説明する。図９は、光学素子３０を透過する光の進行方向を示す側面図である。
【００９３】
図９に示すように、第２原理では、光源１０の出射した光は、光学素子３０に対し、光軸方向Ｘに略沿って入射する。この場合、第１光Ｌ１は、光源１０が出射した光のうち第２平面３７を透過する光を示す。また、この場合、第２光Ｌ２は、光源１０が出射した光のうち第３平面３８を透過する光を示す。
【００９４】
光軸方向Ｘに対する第１光Ｌ１の進行方向の傾斜角度を、第５光軸角度と記載する。光軸方向Ｘに対する第２光Ｌ２の進行方向の傾斜角度を、第６光軸角度と記載する。
【００９５】
領域β１において、第１光Ｌ１は、第２光軸方向Ｘ２に進行する。従って、第５光軸角度は０度になる。
【００９６】
第１光Ｌ１は、入射角θ５１で光学素子３０の第２平面３７に入射し、屈折角θ５２で光学素子３０に進入する。従って、第１光Ｌ１が光学素子３０に進入する際、第１光Ｌ１は屈折し、領域β２において、第５光軸角度が０度から角度θ５３に増加する。その結果、第１光Ｌ１の進行方向が幅方向Ｚの一側に傾く。
【００９７】
第１光Ｌ１は、入射角θ５３で光学素子３０の第１平面３６に入射し、屈折角θ５４で光学素子３０から出射する。入射角θ５３よりも、屈折角θ５４の方が大きい（θ５３＜θ５４）。理由は、屈折率（１／ｎ）が１よりも小さいからである。従って、第１光Ｌ１が光学素子３０から出射すると、第１光Ｌ１の第５光軸角度が、角度θ５３から角度θ５４に増加する。その結果、第１光Ｌ１の進行方向が、幅方向Ｚの一側にさらに傾く。
【００９８】
以上、図９を参照して説明したように、第２平面３７が、第１光Ｌ１の進行方向を幅方向Ｚの一側に傾ける。そして、第１平面３６が、第１光Ｌ１の進行方向を、幅方向Ｚの一側にさらに傾ける。その結果、第１照射領域α１に対し、第１光Ｌ１を効果的にスポット照射することが可能となる（図８（ａ）及び図８（ｂ）参照）。
【００９９】
なお、第１光Ｌ１について記載した第２原理と同様の原理で、光学素子３０は、第２光Ｌ２の進行方向を変更する。具体的には、光学素子３０の第３平面３８は、第２光Ｌ２の進行方向を幅方向Ｚの他側に傾ける。そして、第１平面３６が、第２光Ｌ２の進行方向を、幅方向Ｚの他側にさらに傾ける。その結果、第２照射領域α２に対し、第２光Ｌ２を効果的に照射することが可能となる（図８（ａ）及び図８（ｂ）参照）。
【０１００】
以上、図９を参照して説明したように、光学素子３０は、光軸ＬＡよりも幅方向Ｚの一側へ第１光Ｌ１をスポット照射し、光軸ＬＡよりも幅方向Ｚの他側へ第２光Ｌ２をスポット照射する。従って、光学素子３０は、光の指向性を複数の方向に高めることができ、互いに離間した複数の照射領域に同時に光をスポット照射することが可能となる。
【０１０１】
次に、図１０〜図１１（ｂ）を参照して、光学素子３０を支持する支持機構９０について説明する。図１０は、支持機構９０を示す斜視図である。図１１（ａ）及び図１１（ｂ）は、光の照射領域を示す平面図である。具体的には、図１１（ａ）及び図１１（ｂ）は、光の照射領域を第２光軸方向Ｘ２に見た図である。
【０１０２】
図１０に示すように、照明器具１は、支持機構９０をさらに備える。支持機構９０は、第３フランジ部３４と、操作部３５と、係止部９１と、第１挟持部９２と、第２挟持部９３とを有する。
【０１０３】
係止部９１は、枠体５０に固定される。具体的には、係止部９１は、第４開口５２の内面に固定される。係止部９１は、第４開口５２の内側に突出する。係止部９１は、複数設けられる。第１実施形態では、係止部９１は、４つ設けられる。４つの係止部９１は、光軸ＬＡ回りに９０度ずつ間隔を空けて配置される。なお、係止部９１は、少なくとも２つ設けられればよい。この場合、２つの係止部９１が、光軸ＬＡ回りに１８０度の間隔を空けて配置される。互いに対向する係止部９１の内縁部の間隔Ｐ１は、光学素子３０の径よりも大きい。従って、光学素子３０は、複数の係止部９１に干渉されることなく、第４開口５２から枠体５０の内部に進入する。
【０１０４】
第１挟持部９２は、例えば、略円環形状を有する。第１挟持部９２は、枠体５０の内部に配置され、枠体５０の内面から枠体５０の内側へ突出する。第１挟持部９２は、複数の係止部９１に対し、第１光軸方向Ｘ１に間隔を空けて配置される。第１挟持部９２は、枠体５０の内面から枠体５０の内側へ突出する。第１挟持部９２は、光学素子３０に対応した形状を有する。つまり、第１挟持部９２は、第３フランジ部３４に対しては光軸方向Ｘに重なり、第２外面部３２に対しては光軸方向Ｘに重ならない形状を有する。従って、光源１０の出射した光は、第１挟持部９２に干渉されることなく、第２外面部３２に入射する。
【０１０５】
第２挟持部９３は、例えば、略円環形状である。第２挟持部９３は、第１挟持部９２と略同じ形状である。第２挟持部９３は、切欠部９４を有する。切欠部９４は、第２挟持部９３の外縁部に形成される。切欠部９４は、係止部９１と同数設けられる。従って、第１実施形態では、切欠部９４は、４つ設けられる。４つの切欠部９４は、光軸ＬＡ回りに９０度ずつ間隔を空けて配置される。第２挟持部９３の外縁部において、隣り合う切欠部９４の間の部分を膨出部９５と記載する。膨出部９５は、切欠部９４に比べ、第２挟持部９３の径方向へ膨出する形状を有する。互いに対向する切欠部９４の間隔Ｐ２は、互いに対向する係止部９１の間隔Ｐ１よりも小さい（Ｐ２＜Ｐ１）。これに対し、互いに対向する膨出部９５の間隔Ｐ３は、互いに対向する係止部９１の間隔Ｐ１よりも大きい（Ｐ３＞Ｐ１）。
【０１０６】
第２挟持部９３は、光学素子３０に対応した形状を有する。つまり、第２挟持部９３は、光学素子３０のうち第３フランジ部３４に対しては光軸方向Ｘに重なり、光学素子３０のうち第１外面部３１に対しては光軸方向Ｘに重ならない形状を有する。従って、第１外面部３１を透過した光は、第２挟持部９３に干渉されることなく、照明器具１の外側へ出射する。
【０１０７】
光学素子３０を第４開口５２に取り付ける動作について説明する。
まず、光学素子３０を第４開口５２に挿入する。光学素子３０を第４開口５２に挿入した後、切欠部９４の光軸ＬＡ回りの位相と、係止部９１の光軸ＬＡ回りの位相とを一致させて、第２挟持部９３を第４開口５２に挿入する。第２挟持部９３を第４開口５２に挿入した後、第２挟持部９３を光軸ＬＡ回りに回動し、膨出部９５に係止部９１を下方から接触させる。係止部９１が膨出部９５に接触すると、係止部９１が第２挟持部９３を第４開口５２に係止する。その結果、光学素子３０が、第１挟持部９２と第２挟持部９３とで挟持され、第４開口５２に取り付けられる。
【０１０８】
光学素子３０は、第４開口５２に取り付けられると、光軸ＬＡ回りに回動可能に支持される。具体的には、第１挟持部９２と第２挟持部９３とが、光学素子３０の回動を許容する程度の強さで、光学素子３０を挟持する。
【０１０９】
照明器具１からの光の照射範囲を変更する動作について説明する。
光学素子３０が第４開口５２に取り付けられた状態で、ユーザーは、操作部３５を把持して光学素子３０を光軸ＬＡ回りに回動する。その結果、照明器具１が光をスポット照射する照射領域を変更することが可能となる。具体的には、照明器具１が光をスポット照射する照射領域を、光軸ＬＡ回りに変更することが可能となる。第１実施形態では、ユーザーは、光軸ＬＡを中心に、光学素子３０を反時計回りに９０度回動する。その結果、照明器具１が第１光Ｌ１をスポット照射していた領域が、反時計回りに９０度変わる。具体的には、照明器具１が第１光Ｌ１をスポット照射していた領域が、第１照射領域α１（図１１（ａ））から第３照射領域α３（図１１（ｂ））に変わる。また、照明器具１が第２光Ｌ２をスポット照射していた領域が、反時計回りに９０度変わる。具体的には、照明器具１が第２光Ｌ２をスポット照射していた領域が、第２照射領域α２（図１１（ａ））から第４照射領域α４（図１１（ｂ））に変わる。
【０１１０】
以上、図１０〜図１１（ｂ）を参照して説明したように、支持機構９０は、光学素子３０を光軸ＬＡ回りに回動自在に支持する。その結果、ユーザーは、光学素子３０を光軸ＬＡ回りに回動し、光をスポット照射する照射領域を変更することができる。
【０１１１】
また、照明器具１の装置構成を変更することなく光の照射領域を変更することができる。従って、照明器具１の利便性を向上させることができる。
【０１１２】
また、光学素子３０を光軸ＬＡ回りに回動し、光の照射領域を調整することができる。従って、狙った領域に精度よく光をスポット照射することができる。
【０１１３】
［第２実施形態］
図１２（ａ）及び図１２（ｂ）を参照して、第２実施形態の光学素子３０について説明する。図１２（ａ）は、第２実施形態の光学素子３０の平面図である。具体的には、図１２（ａ）は、第２実施形態の光学素子３０を第２光軸方向Ｘ２に見た図である。図１２（ｂ）は、光の照射領域を示す平面図である。具体的には、図１２（ｂ）は、光の照射領域を上方から見た図である。第２実施形態の光学素子３０は、分光部を複数有する点で、第１実施形態の光学素子３０と異なる。
第２実施形態の光学素子３０と、第１実施形態の光学素子３０とは、同じ構成の第１外面部３１と、光透過部３３とを備える。従って、第２実施形態の光学素子３０の第１外面部３１と、光透過部３３との説明は省略する。
これに対し、第２実施形態の光学素子３０と、第１実施形態の光学素子３０とは、異なる構成の第２外面部３２を備える。以下、第２実施形態の光学素子３０の第２外面部３２について説明する。
【０１１４】
図１２（ａ）及び図１２（ｂ）に示すように、第２外面部３２は、複数の領域と、複数の分光部とを有する。複数の領域は、第１領域γ１と、第２領域γ２とを含む。光学素子３０のうち第２外面部３２の占める領域は、第１領域γ１と第２領域γ２とに２分割される。第１領域γ１と第２領域γ２とは、例えば、光軸ＬＡを中心とした略半円形状を有する。
【０１１５】
複数の分光部のうちの１つは第１分光部Ｑａである。複数の分光部のうちの他の１つは第２分光部Ｑｂである。第１分光部Ｑａは、複数の頂部８１ａと、複数の底部８２ａとを有する。第２分光部Ｑｂは、複数の頂部８１ｂと、複数の底部８２ｂとを有する。頂部８１ａ及び頂部８１ｂは、分光部Ｑの頂部８１に相当する。底部８２ａ及び底部８２ｂは、分光部Ｑの底部８２に相当する。第１分光部Ｑａは、第１領域γ１に配置される。第２分光部Ｑｂは、第２領域γ２に配置される。第２実施形態の光学素子３０を側面視したときの形状は、図５に示す第１実施形態の光学素子３０の側面図の形状と同じ形状を含む。具体的には、図１２（ａ）に示す第１分光部Ｑａの頂部８１ａが図５に示す頂部８１に相当する場合、図１２（ａ）に示す第１分光部Ｑａの底部８２ａが図５に示す底部８２に相当する。また、図１２（ａ）に示す第２分光部Ｑｂの頂部８１ｂが図５に示す頂部８１に相当する場合、図１２（ａ）に示す第２分光部Ｑｂの底部８２ｂが図５に示す底部８２に相当する。
【０１１６】
頂部８１ａの延びる方向は、頂部８１ｂの延びる方向と異なる。第２実施形態では、頂部８１ａは、長手方向Ｙに沿って延びる。これに対し、頂部８１ｂは、幅方向Ｚに沿って延びる。頂部８１ａの延びる方向に対し、頂部８１ｂの延びる方向が垂直である。
【０１１７】
第２実施形態の光学素子３０によると、第１分光部Ｑａは、第１照射領域α１に第１光Ｌ１をスポット照射する。また、第１分光部Ｑａは、第２照射領域α２に第２光Ｌ２をスポット照射する。第２分光部Ｑｂは、第３照射領域α３に第３光Ｌ３をスポット照射する。また、第２分光部Ｑｂは、第４照射領域α４に第４光Ｌ４をスポット照射する。第１照射領域α１〜第４照射領域α４は、光軸ＬＡ回りに９０度間隔で離れて並ぶ。従って、第２実施形態の光学素子３０によると、互いに離間した４つの領域に同時に光をスポット照射することが可能となる。
第２実施形態の光学素子３０を備える照明器具は、例えば、飲食店において、第１照射領域α１〜第４照射領域α４の各々にテーブルを配置し、４つのテーブルの各々を上方からスポット照射する際に用いられる。その結果、１つの照明器具で、４つのテーブルを同時にスポット照射することが可能となる。
【０１１８】
以上、図１２（ａ）及び図１２（ｂ）を参照して説明したように、第２外面部３２は、複数の分光部を有する。従って、第２実施形態の光学素子３０は、互いに離間した複数の照射領域に同時に光をスポット照射することができる。その結果、装置構成を簡素化することができ、装置の製造コストを低減することができる。
【０１１９】
次に、図１３（ａ）及び図１３（ｂ）を参照して、第２実施形態の光学素子３０の変形例について説明する。図１３（ａ）及び図１３（ｂ）は、変形例の光学素子３０を示す平面図である。具体的には、図１３（ａ）及び図１３（ｂ）は、変形例の光学素子３０を第２光軸方向Ｘ２に見た図である。変形例の光学素子３０は、４つの分光部を有する点で、第２実施形態の光学素子３０と異なる。
変形例の光学素子３０と、第１実施形態の光学素子３０とは、同じ構成の第１外面部３１と、光透過部３３とを備える。従って、変形例の光学素子３０の第１外面部３１と、光透過部３３との説明は省略する。
これに対し、変形例の光学素子３０と、第１実施形態の光学素子３０とは、異なる構成の第２外面部３２を備える。以下、変形例の光学素子３０の第２外面部３２について説明する。
【０１２０】
図１３（ａ）及び図１３（ｂ）に示すように、第２外面部３２は、複数の領域と、複数の分光部とを有する。複数の領域は、第１領域γ１と、第２領域γ２と、第３領域γ３と、第４領域γ４とを含む。光学素子３０のうち第２外面部３２の占める領域は、第１領域γ１と第２領域γ２と、第３領域γ３と、第４領域γ４とに４分割される。第１領域γ１と第２領域γ２と第３領域γ３と第４領域γ４とは、例えば、光軸ＬＡを中心とした略四半円形状を有する。
【０１２１】
複数の分光部は、第１分光部Ｑａと、第２分光部Ｑｂとを含む。第１分光部Ｑａは、第１領域γ１と第３領域γ３とに配置される。第２分光部Ｑｂは、第２領域γ２と第４領域γ４とに配置される。変形例の光学素子３０を側面視したときの形状は、図５に示す第１実施形態の光学素子３０の側面図の形状と同じ形状を含む。具体的には、図１３（ａ）及び図１３（ｂ）に示す第１分光部Ｑａの頂部８１ａが図５に示す頂部８１に相当する場合、図１３（ａ）及び図１３（ｂ）に示す第１分光部Ｑａの底部８２ａが図５に示す底部８２に相当する。また、図１３（ａ）及び図１３（ｂ）に示す第２分光部Ｑｂの頂部８１ｂが図５に示す頂部８１に相当する場合、図１３（ａ）及び図１３（ｂ）に示す第２分光部Ｑｂの底部８２ｂが図５に示す底部８２に相当する。
【０１２２】
変形例の光学素子３０によると、第２実施形態の光学素子３０と同様に、互いに離間した４つの領域に同時に光をスポット照射することが可能となる（図１２（ｂ）参照）。
【０１２３】
［第３実施形態］
図１４（ａ）及び図１４（ｂ）を参照して、第３実施形態の光学素子３０について説明する。図１４（ａ）は、第３実施形態の光学素子３０を示す平面図である。具体的には、図１４（ａ）は、第３実施形態の光学素子３０を第２光軸方向Ｘ２に見た図である。図１４（ｂ）は、光の照射領域を示す側面図である。第３実施形態の光学素子３０は、第２外面部３２が第１平面３６に平行な平面を有する点で、第１実施形態の光学素子３０と異なる。
第３実施形態の光学素子３０と、第１実施形態の光学素子３０とは、同じ構成の第１外面部３１と、光透過部３３とを備える。従って、第３実施形態の光学素子３０の第１外面部３１と、光透過部３３との説明は省略する。
これに対し、第３実施形態の光学素子３０と、第１実施形態の光学素子３０とは、異なる構成の第２外面部３２を備える。詳細には、第３実施形態の光学素子３０の第２外面部３２は、第１実施形態の光学素子３０の第２外面部３２に、第４平面３９を追加した構成を有する。以下、第３実施形態の光学素子３０の第２外面部３２について説明する。
【０１２４】
図１４（ａ）及び図１４（ｂ）に示すように、第２外面部３２は、第４平面３９をさらに有する。第４平面３９は、第１平面３６に平行である。第４平面３９は、光透過部３３を介して第１平面３６と対向する。第４平面３９は、例えば、第２外面部３２の中央部に配置される。第４平面３９は、例えば、略円形状である。第４平面３９の周囲には、分光部Ｑが配置される。第３実施形態の光学素子３０を側面視したときの形状は、図５に示す第１実施形態の光学素子３０の側面図の形状と同じ形状を含む。具体的には、図１４（ａ）に示す頂部８１が図５に示す頂部８１に相当し、図１４（ａ）に示す底部８２が図５に示す底部８２に相当する。
【０１２５】
以上、図１４（ａ）及び図１４（ｂ）を参照して説明したように、第２外面部３２には第４平面３９が配置される。従って、光源１０の出射した光の一部である第５光Ｌ５は、第４平面３９に入射し、第１平面３６から出射する。第５光Ｌ５は、照明器具１から下方に向かって進み、照明器具１の下方をスポット照射する。また、光源１０の出射した光の一部である第１光Ｌ１は、分光部Ｑに入射し、第１平面３６から出射する。第１光Ｌ１は、照明器具１よりも幅方向Ｗの一側に位置する第１照射領域α１をスポット照射する。また、光源１０の出射した光の一部である第２光Ｌ２は、分光部Ｑに入射し、第１平面３６から出射する。第２光Ｌ２は、照明器具１よりも幅方向Ｗの他側に位置する第２照射領域α２をスポット照射する。従って、第３実施形態の光学素子３０は、互いに離間した３つの照射領域に同時に光をスポット照射することが可能となる。
【０１２６】
また、第１外面部３１の第１平面３６に拡散部を設けてもよい。拡散部は、例えば、光透過部３３を介して第４平面３９と対向する。拡散部は、光を拡散させる。本明細書において、光の拡散は、光を広げること又は光を散乱することを含む概念である。光の散乱は、光を乱反射等して光を散らすことを示す。具体的には、拡散部は、拡散部に入射した光を拡散させて出射するように、拡散部に入射した光を拡散させる。拡散部は、例えば、白色半透明であってもよい。拡散部は、例えば、光拡散材料を含有した樹脂を成形することによって形成してもよいし、透明材料で成形した後に表面に光拡散処理を施して形成してもよい。拡散部を設けることで、第５光Ｌ５の照射対象に照度ムラが発生することを抑制できる。また、拡散部を設けることで、グレアを低減することが可能となる。
【０１２７】
なお、第４平面３９を第２実施形態の光学素子３０に設けてもよい。その結果、互いに離間した５つの照射領域に同時に光をスポット照射することが可能となる。
【０１２８】
以上、図面（図１〜図１４（ｂ））を参照しながら本発明の実施形態について説明した。但し、本発明は、上記の実施形態に限られるものではなく、その要旨を逸脱しない範囲で種々の態様において実施することが可能である（例えば、下記に示す（１）〜（３））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【０１２９】
（１）図５に示すように、第１実施形態では、第１傾斜角度θａと第２傾斜角度θｂとが等しく、三角形Ｖは二等辺三角形である。しかし、本発明はこれに限定されない。第１傾斜角度θａと第２傾斜角度θｂとが異なっていてもよい。
【０１３０】
第１傾斜角度θａを変更し、第２平面３７の第１平面３６に対する傾きを変更することで、光軸ＬＡに対する第１光Ｌ１の進行方向の傾きを変更することができる。また、第２傾斜角度θｂを変更し、第３平面３８の第１平面３６に対する傾きの程度を変更することで、光軸ＬＡに対する第２光Ｌ２の進行方向の傾きの程度を変更することができる。
【０１３１】
例えば、図６に示す第１光Ｌ１の場合、第１傾斜角度θａが大きくなると、第２平面３７の第１平面３６に対する傾きが大きくなる。その結果、光軸ＬＡに対する第１光Ｌ１の傾きが小さくなり、第１光Ｌ１が照明器具１に近接した領域をスポット照射する。従って、第１傾斜角度θａと第２傾斜角度θｂとをそれぞれ変更することで、第１光Ｌ１がスポット照射する第１照射領域α１の位置と、第２光Ｌ２がスポット照射する第２照射領域α２の位置とをそれぞれ変更することが可能となる。
【０１３２】
（２）図４（ａ）及び図５に示すように、三角形Ｖの頂部８１ａの角度を角度θｃと記載する。第１実施形態では、全ての三角形Ｖの角度θｃが互いに等しい。しかし、本発明はこれに限定されない。例えば、光軸ＬＡから離れた三角形Ｖ程、角度θｃが小さくなるように構成してもよい。その結果、第１光Ｌ１と第２光Ｌ２の各々の広がりを抑えつつ、第１光Ｌ１と第２光Ｌ２とをそれぞれの照射領域に向けて進行させることができる。また、光軸ＬＡから離れた三角形Ｖ程、角度θｃが大きくなるように構成してもよい。その結果、第１光Ｌ１と第２光Ｌ２との各々の広がりを促進させつつ、第１光Ｌ１と第２光Ｌ２とをそれぞれの照射領域に向けて進行させることができる。
【０１３３】
（３）第１実施形態では、第２外面部３２が光源１０に対向する。しかし、本発明はこれに限定されない。第１外面部３１が光源１０に対向してもよい。しかし、第２外面部３２が光源１０に対向する方が、光学素子３０が光の指向性を複数の方向により効果的に高めることができる点で有利である。
【産業上の利用可能性】
【０１３４】
本発明は、光学素子、及び照明器具を提供するものであり、産業上の利用可能性を有する。
【符号の説明】
【０１３５】
１      照明器具
１０    光源
３０    光学素子
３１    第１外面部
３２    第２外面部
３３    光透過部
３６    第１平面
３７    第２平面
３７ａ  頂端部
３７ｂ  底端部
３８ａ  頂端部
３８ｂ  底端部
３８    第３平面
３９    第４平面
８１    頂部
８２    底部
９０    支持機構
Ｍ１    第１方向
Ｍ２    第２方向
Ｑ      分光部
Ｑａ    第１分光部
Ｑｂ    第２分光部
θａ    傾斜角度
θｂ    傾斜角度
【図１】
2018190503.tif 000003
【図２】
2018190503.tif 000004
【図３】
2018190503.tif 000005
【図４】
2018190503.tif 000006
【図５】
2018190503.tif 000007
【図６】
2018190503.tif 000008
【図７】
2018190503.tif 000009
【図８】
2018190503.tif 000010
【図９】
2018190503.tif 000011
【図１０】
2018190503.tif 000012
【図１１】
2018190503.tif 000013
【図１２】
2018190503.tif 000014
【図１３】
2018190503.tif 000015
【図１４】
2018190503.tif 000016